(57)【要約】【課題】  各石板ユニット部材を、直線部、曲線部それぞれを任意に組み合わせた帯ライン状の敷設面に沿って容易に隣接配置できるようにする。【解決手段】  曲線部分を有する敷設面に沿って繰り返しパターン形状となって隣接配置する変形多角形の各領域Ｐ１，Ｐ２…内において石組可能に乱形配置する形状やサイズの異なる複数の石板１Ａ，１Ｂ，１Ｃ…１Ｎを組み合わせて、各領域Ｐ１，Ｐ２…毎に異なる石組配列パターンを形成し、曲線帯状の敷設面２に沿って隣接配置すべく石板ユニット部材１を形成する。石板ユニット部材１それぞれの外郭形状における左右方向の側面には直線形状部５Ａまたは曲線形状部５Ｂを形成すると共に、当該石板１Ａ，１Ｂ，１Ｃ…１Ｎ同士が敷設面２に沿っての前後方向での側面で互いに隣接配置されたときに相互に嵌め合い可能となる凹凸形状部５Ｃを形成する。【選択図】      図２
2006233527.tif 000002
【特許請求の範囲】
【請求項１】
敷設面に繰り返しパターン形状となって隣接配置される変形多角形の各領域内において石組可能に乱形配置される形状やサイズの異なる複数の石板を、各領域毎に異なる石組配列パターンを有して組み合わせて成る石板ユニット部材であって、石板ユニット部材は、曲線部分を有する帯状の敷設面に沿って隣接配置すべく、石板ユニット部材それぞれの外郭形状における左右方向の側面には曲線形状部を有すると共に、当該石板同士が敷設面に沿っての前後方向での側面で互いに隣接配置されたときに相互に嵌め合い可能となる凹凸形状部を有して成ることを特徴とする石板ユニット部材。
【請求項２】
敷設施工現場にて石板の敷設面に沿って変形多角形の領域パターンを表示させる領域形成用の外枠部と、領域パターンの内部にそれぞれの石板の外郭形状に応じた個々の石板外郭パターンを表示させる石板外郭形成用の内枠部とから成るスタンプ枠材を備えた請求項１記載の石板ユニット部材。
【請求項３】
直線状、曲線状それぞれが任意に組み合わされて成る帯状の敷設面に沿って繰り返しパターン形状となって隣接配置される変形多角形の各領域毎に異なる乱形状の石組配列パターンを形成するように形状やサイズの異なるように石割りした複数の石板を任意に組み合わせて各領域毎にユニット化して成る複数組の石板ユニット部材を形成しておき、敷設施工現場において各石板ユニット部材の左右方向側面に形成されている直線形状部、曲線形状部それぞれによって直線状もしくは曲線状に沿って隣接配置された各領域毎に乱形状に石組施工するに際し、そのユニット化した石板を各領域毎に異なる乱形パターンの石組配列形態に従い順次に配列することを特徴とした石板ユニット部材の石組配列施工方法。
【請求項４】
石板のそれぞれの乱形配列でユニット化した石板ユニット部材それぞれの外郭形状において、敷設面に沿っての前後方向での側面では凹凸形状部を介して石板相互を嵌め合い可能とした請求項３記載の石板ユニット部材の石組配列施工方法。
【請求項５】
スタンプ枠材を石板の敷設面に押し当てて変形多角形の領域パターンと、領域パターンの内部にそれぞれの石板の外郭形状に応じた個々の石板外郭パターンとを表示させ、そのスタンプ形状の区画配列に従って石板が石組配列されるものとする請求項３または４記載の石板ユニット部材の石組配列施工方法。
【発明の詳細な説明】
【技術分野】
【０００１】
本発明は、例えば床面や地面等の敷石、躯体壁、外壁、内壁等の石張り、更には塊状の積み上げ式の擁壁等における特に曲線状の敷設面に沿っての石組配列施工において使用され、例えば天然の石板あるいは石塊等を乱形状に石割り加工して予め組合せユニット化しておき、これらを施工現場に搬入し、搬入状態時の所定の乱形配列形態に従って順次に帯状に配列することにより、この乱形配置による帯状の敷石配列、帯状模様を有する擁壁等が簡単に施工できるようにしたもので、乱形処理等を現場加工に依らずに簡素化することのできる石板ユニット部材およびこれの石組配列施工方法に関するものである。
【背景技術】
【０００２】
従来から、敷石、擁壁等を乱形形態で施工するには、施工現場において大きな石板を適当形状の所定大きさの小片状に裁断し、これら小片状の石板を目地を隔てて配置する等して施工しているものである。そのため、かなりの熟練を要し、施工に手間が掛かる面倒さがあり、しかも費用も極めて嵩張るものであったばかりでなく、石板の配置状態が分かるように予め石板割付用の配置図面を作成しておく等の必要があり、非常に面倒な作業となるものであった。
【０００３】
これを解消すべく、この種の現場施工での石組配列による施工方法として、例えば特許文献１乃至４に開示されているような乱形状の形態をユニット化したものがあった。これらはいずれも所定形状の石板を、これを構成する乱形状の要素となる小石板の形状、配列その他を一定のままとしてそれを維持したままで予め配列固定した石板ユニット部材としてユニット化しておき、この石板ユニット部材を施工現場に搬入し、石板ユニット部材における固定化された内部の要素となる小石板の乱形状を維持したままで、石板ユニット部材全体をそれ自体で決められた手順に従って隣接配置して施工するようにしたものである。
【０００４】
しかしながらこのような従来提案の石組配列による施工方法では、例えば特許文献１の場合では外郭形状が凹凸嵌合形状となるようにして隣接配置するも、その石板の配列形態はその全てが同一のデザインを呈し、現場施工後では配列形態の単純な繰り返しになるに過ぎない。しかも従来では工場サイドで形成される目地と現場施工で形成される目地とが混在する場合が多く、このため両目地部に対して経時変化の差が生じて色斑を生じてしまい将来的に見苦しいものとなる。また、従来のように小片状に裁断した石板を目地を隔てて配置する等して施工する場合では、個々の石板が不定型な形状をしているため、目地を隔てて石板を配置する作業が非常に面倒であり、施工者の技量に頼らざるを得ないものとなり、しかも大小の不定型割石をうまく配置しようとしても、目地の間隔が一定せず、仕上がりの美感を悪化させるものであった。
【０００５】
また、特許文献２の場合では、外郭形状が角形に形成されているため、隣接配置した現場施工後では変化性に乏しい。特許文献３の場合では、乱形状に配列構成した石板ユニット部材の外郭形状が、構成している各石板の辺に沿って形取りされているから、施工現場での敷設配列後では同一パターンが繰り返されるに過ぎない。特許文献４の場合では、乱形で連続配置するときの各石板の外形が隣接するもの同士で嵌め合うように凹凸形状としてあるに過ぎず、それらがユニット化されているものではない等の問題点を有していた。  
【０００６】
そこで、本発明自身は、特許文献５に開示されているように、デザイン上、繰り返しの配列パターンがなく、変化に富んだ乱形された石組を石材割付配置図面を使用しなくても施工現場で簡単に且つ低額な施工費用で敷設することができ、石端材の廃棄物を生じさせることなく素人でも簡単に施工できるものとし、また石組施工後の目地材の経時的な色変化の斑を生じさせず、施工者の技量に頼らなくても一定の目地を隔てて石板を容易に配置することができ、しかも石材の乱形配置を現場加工に依らずに簡素化することができる石板ユニット部材およびこれの石組配列施工方法を提案したのであった。
【０００７】
すなわち、敷設面に繰り返しパターン形状となって隣接配置される変形多角形の各領域内において石組可能に乱形配置される形状やサイズの異なる複数の石板を組み合わせて成る石板ユニット部材を備え、石板は各領域毎に異なる石組配列パターンを形成して成るものである。また、石板の周辺には、石板ユニット部材それぞれの外郭形状において、当該石板同士が前後方向、左右方向での側面で互いに隣接配置されたときに相互に嵌め合い可能となる凹凸形状部を有するものとしてある。
【特許文献１】特開平１０−３３８９０３号公報
【特許文献２】実開昭６２−７１２３１号公報
【特許文献３】特開平４−５５５０１号公報
【特許文献４】特開平４−１９８５０３号公報
【特許文献５】特開２００２−６１１０１号公報
【発明の開示】
【発明が解決しようとする課題】
【０００８】
このように従来における特許文献５による場合には、石板同士が前後方向、左右方向での側面で互いに隣接配置されたときに相互に嵌め合い可能となる凹凸形状部を有しているため、２次元平面内で縦横に隣接配置された乱形パターンによる敷石、石張り等の形成が可能である。ただ、各石板ユニット部材を、直線状、曲線状それぞれが任意に組み合わされた例えばＵ字状・Ｓ字状・蛇行ライン状等の帯状配列の敷設面に沿って隣接配置させるには、このような前後方向、左右方向それぞれの凹凸形状部によるのでは不可能である。特に、曲線状の敷設面に沿っての施工の対応が全く不可能であった。また、各石板ユニット部材を直線状の敷設面に沿って、前後方向の凹凸形状部同士の噛み合いによって隣接配置させることはできるものの、この場合には各石板ユニット部材の左右方向の凹凸形状部がこのままの形態で残されてしまうものとなり、これによって例えば敷石、石張り等を形成するための石板ユニット部材全体としての外観上の見栄えも劣り、且つ価値観もかなり低減してしまう虞れがある。
【０００９】
そこで本発明は叙上のような従来存した諸事情に鑑み創出されたもので、デザイン上、繰り返しの配列パターンがなく、変化に富んだ乱形された石組を石材割付配置図面を使用しなくても施工現場で簡単に且つ低額な施工費用で敷設することができ、石端材の廃棄物を生じさせることなく素人でも簡単に施工できるものとし、しかも石材の乱形配置を現場加工に依らずに簡素化することができるのに加えて、各石板ユニット部材を、直線状、曲線状それぞれが任意に組み合わされた帯状の例えばＵ字状・Ｓ字状・蛇行ライン状等の敷設面、特に急峻もしくは緩やかなる曲線状の敷設面に沿って容易に隣接配置させることができる石板ユニット部材およびこれの石組配列施工方法を提供することを目的とする。
【課題を解決するための手段】
【００１０】
上述した課題を解決するため、本発明にあっては、敷設面２に繰り返しパターン形状となって隣接配置される変形多角形の各領域Ｐ１，Ｐ２…内において石組可能に乱形配置される形状やサイズの異なる複数の石板１Ａ，１Ｂ，１Ｃ…１Ｎを、各領域Ｐ１，Ｐ２…毎に異なる石組配列パターンを有して組み合わせて成る石板ユニット部材１であって、石板ユニット部材１は、曲線部分を有する帯状の敷設面２に沿って隣接配置すべく、石板ユニット部材１それぞれの外郭形状における左右方向の側面には曲線形状部５Ｂを有すると共に、当該石板１Ａ，１Ｂ，１Ｃ…１Ｎ同士が敷設面２に沿っての前後方向での側面で互いに隣接配置されたときに相互に嵌め合い可能となる凹凸形状部５Ｃを有して成るものである。
【００１１】
敷設施工現場にて石板１Ａ，１Ｂ，１Ｃ…１Ｎの敷設面２に沿って変形多角形の領域パターン６を表示させる領域形成用の外枠部３Ａと、領域パターン６の内部にそれぞれの石板１Ａ，１Ｂ，１Ｃ…１Ｎの外郭形状に応じた個々の石板外郭パターン７を表示させる石板外郭形成用の内枠部３Ｂとから成るスタンプ枠材３を備えたものとすることができる。  
【００１２】
直線状、曲線状それぞれが任意に組み合わされて成る帯状の敷設面２に沿って繰り返しパターン形状となって隣接配置される変形多角形の各領域毎に異なる乱形状の石組配列パターン７を形成するように形状やサイズの異なるように石割りした複数の石板１Ａ，１Ｂ，１Ｃ…１Ｎを任意に組み合わせて各領域毎にユニット化して成る複数組の石板ユニット部材１を形成しておき、敷設施工現場において各石板ユニット部材１の左右方向側面に形成されている直線形状部５Ａ、曲線形状部５Ｂそれぞれによって直線状もしくは曲線状に沿って隣接配置された各領域Ｐ１，Ｐ２…毎に乱形状に石組施工するに際し、そのユニット化した石板１Ａ，１Ｂ，１Ｃ…１Ｎを各領域毎に異なる乱形パターンの石組配列形態に従い順次に配列するものとできる。
【００１３】
石板１Ａ，１Ｂ，１Ｃ…１Ｎのそれぞれの乱形配列でユニット化した石板ユニット部材１それぞれの外郭形状において、敷設面２に沿っての前後方向での側面では凹凸形状部５Ｃを介して石板１Ａ，１Ｂ，１Ｃ…１Ｎ相互を嵌め合い可能とすることができる。
【００１４】
スタンプ枠材３を石板１Ａ，１Ｂ，１Ｃ…１Ｎの敷設面２に押し当てて変形多角形の領域パターン６と、領域パターン６の内部にそれぞれの石板１Ａ，１Ｂ，１Ｃ…１Ｎの外郭形状に応じた個々の石板外郭パターン７とを表示させ、そのスタンプ形状の区画配列に従って石板１Ａ，１Ｂ，１Ｃ…１Ｎが石組配列されるものとできる。
【００１５】
以上のように構成された本発明に係る石板ユニット部材１の石板１Ａ，１Ｂ，１Ｃ…１Ｎは、急峻もしくは緩やかな曲線部分を有する帯状配列の敷設面２、あるいは直線状、曲線状それぞれが任意に組み合わされて成る帯状配列の敷設面２等に繰り返しパターン形状となって隣接配置される変形多角形の各領域Ｐ１，Ｐ２…内において乱形状に石組配置されると共に、各領域Ｐ１，Ｐ２…毎に異なる石組配列パターンを形成させる。
石板１Ａ，１Ｂ，１Ｃ…１Ｎ周辺の凹凸形状部５Ｃは、石板１Ａ，１Ｂ，１Ｃ…１Ｎのそれぞれの乱形配列でユニット化した石板ユニット部材１それぞれの外郭形状において、敷設面２に沿った前後方向での側面で互いに隣接配置されたときに凹凸形状部５Ｃが雄雌となって相互に嵌め合い可能とさせる。
スタンプ枠材３は、敷設施工現場にて石板１Ａ，１Ｂ，１Ｃ…１Ｎの敷設面２に対し、繰り返しパターン形状となるような変形多角形の領域パターン６と、領域パターン６の内部にそれぞれの石板１Ａ，１Ｂ，１Ｃ…１Ｎの外郭形状に応じた個々の石板外郭パターン７とを表示させる。
一方、本発明に係る石組配列施工方法にあっては、形状やサイズの異なる複数の石板１Ａ，１Ｂ，１Ｃ…１Ｎを任意に組み合わせて各領域Ｐ１，Ｐ２…毎にユニット化して成る複数組の石板ユニット部材１は、そのユニット化した石板１Ａ，１Ｂ，１Ｃ…１Ｎを各石板ユニット部材１の左右方向側面に形成されている直線形状部５Ａ、曲線形状部５Ｂそれぞれによって直線状もしくは曲線状に沿って隣接配置された各領域Ｐ１，Ｐ２…毎に異なる乱形パターンの石組配列形態に従い順次に配列することで、敷設面２に繰り返しパターン形状となって隣接配置される変形多角形の各領域Ｐ１，Ｐ２…毎に異なる乱形状の石組配列パターンを形成させる。
石板１Ａ，１Ｂ，１Ｃ…１Ｎの敷設面２に押し当てて変形多角形の領域パターン６と、領域パターン６の内部にそれぞれの石板１Ａ，１Ｂ，１Ｃ…１Ｎの外郭形状に応じた個々の石板外郭パターン７とを表示させるスタンプ枠材３は、そのスタンプ形状の区画配列に従って石板１Ａ，１Ｂ，１Ｃ…１Ｎを石組配列させることで、直線状もしくは曲線状配列の敷設面２に沿って隣接配置された各領域Ｐ１，Ｐ２…毎に石板１Ａ，１Ｂ，１Ｃ…１Ｎの異なる石組配列パターンを順次形成させる。
【発明の効果】
【００１６】
本発明によれば、デザイン上、繰り返しの配列パターンがなく、変化に富んだ乱形された石組を石材割付配置図面を使用しなくても施工現場で簡単に且つ低額な施工費用で敷設することができ、石端材の廃棄物を生じさせることなく素人でも簡単に施工でき、しかも石材の乱形配置を現場加工に依らずに簡素化することができるのに加えて、各石板ユニット部材を、直線状、曲線状それぞれが任意に組み合わされた帯状の例えばＵ字状・Ｓ字状・蛇行ライン状等の敷設面、特に急峻もしくは緩やかなる曲線状の敷設面に沿って容易に隣接配置させることができる。
【００１７】
すなわちこれは本発明が、曲線部分を有する帯状の敷設面２に沿って隣接配置すべく、石板ユニット部材１それぞれの外郭形状における左右方向の側面には曲線形状部５Ｂを有すると共に、石板１Ａ，１Ｂ，１Ｃ…１Ｎ同士が敷設面２に沿っての前後方向での側面で互いに隣接配置されたときに相互に嵌め合い可能となる凹凸形状部５Ｃを有して成るからであり、これにより、曲線帯状の敷設面２に沿って、デザイン上の繰り返しのパターンがなく、変化に富んだ乱形石組を容易に得ることができる。しかも、敷設面２側縁には多角形状の凹凸が無く滑らかな曲線ラインとなるため、石板ユニット部材１全体としての外観上の見栄えも良くなり、且つ価値観もかなり向上する。
【００１８】
敷設施工現場にて石板１Ａ，１Ｂ，１Ｃ…１Ｎの敷設面２に沿って変形多角形の領域パターン６を表示させる領域形成用の外枠部３Ａと、領域パターン６の内部にそれぞれの石板の外郭形状に応じた個々の石板外郭パターン７を表示させる石板外郭形成用の内枠部３Ｂとから成るスタンプ枠材３を備え、このスタンプ枠材３を石板１Ａ，１Ｂ，１Ｃ…１Ｎの敷設面２に押し当てて変形多角形の領域パターン６と、領域パターン６の内部にそれぞれの石板１Ａ，１Ｂ，１Ｃ…１Ｎの外郭形状に応じた個々の石板外郭パターン７とを表示させることで、そのスタンプ形状の区画配列に従って石板１Ａ，１Ｂ，１Ｃ…１Ｎを石組配列させるものとしたので、敷設施工現場での直線状、曲線状それぞれが任意に組み合わされて成る敷設面２の各石板１Ａ，１Ｂ，１Ｃ…１Ｎの配列方法、位置その他が分かり、施工者の技量に頼らなくても、素人でも簡単に施工することができる。しかもこのようなスタンプ枠材３の使用自体が各領域Ｐ１，Ｐ２…毎に異なる乱形パターンの石組配列形態を形成するための割付配置図面としての役割を十分に果たすことができ、施工面全体に対する領域の割り付けも不要となるため、従来のような石板１Ａ，１Ｂ，１Ｃ…１Ｎの配置状態が分かる割付配置図面を作成する必要性がなくなる。
【００１９】
直線状、曲線状それぞれが任意に組み合わされた帯状の敷設面２に沿って繰り返しパターン形状となって隣接配置される変形多角形の各領域Ｐ１，Ｐ２…毎に異なる乱形状の石組配列パターンを形成するように形状やサイズの異なるように石割りした複数の石板１Ａ，１Ｂ，１Ｃ…１Ｎを任意に組み合わせて各領域毎にユニット化して成る複数組の石板ユニット部材１を形成しておき、敷設施工現場において各石板ユニット部材１の左右方向側面に形成されている直線形状部５Ａ、曲線形状部５Ｂそれぞれによって直線状もしくは曲線状に沿って隣接配置された各領域Ｐ１，Ｐ２…毎に乱形状に石組施工するに際し、そのユニット化した石板１Ａ，１Ｂ，１Ｃ…１Ｎを各領域Ｐ１，Ｐ２…毎に異なる乱形パターンの石組配列形態に従い順次に配列するので、各石板ユニット部材１を、直線状、曲線状それぞれが任意に組み合わされた例えばＵ字状・Ｓ字状・蛇行ライン状等の敷設面２に沿って容易に隣接配置させることができる。しかも石板ユニット部材１の各石板１Ａ，１Ｂ，１Ｃ…１Ｎは、敷設施工現場に搬入する際にはそれぞれが分離しているから、敷設施工現場に生じている凹凸面・起伏面等に沿って容易に配列させることができ、しかも敷設施工現場の勾配その他にも対応可能である。
【００２０】
石板１Ａ，１Ｂ，１Ｃ…１Ｎのそれぞれの乱形配列でユニット化した石板ユニット部材１それぞれの外郭形状において、敷設面２に沿っての前後方向での側面では凹凸形状部５Ｃを介して石板１Ａ，１Ｂ，１Ｃ…１Ｎ相互を嵌め合い可能としたので、石板ユニット部材１を直線状、曲線状それぞれが任意に組み合わされて成る敷設面２に沿って容易に配列させることができる。また石板ユニット部材１の外郭形状の前後方向での側面に凹凸形状部５Ｃが形成されるも、このような端部処理は石割加工の工場サイドにて外郭縁上に存する各石板１Ａ，１Ｂ，１Ｃ…１Ｎそれぞれに対して予め個別に処理されるため、敷設施工現場での石端材等の廃棄物が生じることなく施工を楽に行なうことができて環境面にも優れたものとなり、敷設施工現場での施工費用も従来の１／４程度となる。
【００２１】
スタンプ枠材３を石板１Ａ，１Ｂ，１Ｃ…１Ｎの敷設面２に押し当てて変形多角形の領域パターン６と、領域パターン６の内部にそれぞれの石板１Ａ，１Ｂ，１Ｃ…１Ｎの外郭形状に応じた個々の石板外郭パターン７とを表示させ、そのスタンプ形状の区画配列に従って石板１Ａ，１Ｂ，１Ｃ…１Ｎが石組配列されるので、施工者の技量に頼らなくても、素人でも簡単に施工することができる。また、石板１Ａ，１Ｂ，１Ｃ…１Ｎの一部が破損した場合でもパーツの取り替えが簡単にできる。しかも石板１Ａ，１Ｂ，１Ｃ…１Ｎとして、例えば互いに異なるパターンの絵文字や象形文字を施す等の数種類の石素材を混合させて使用することで敷石としてのデザイン性を向上させることもできる
【００２２】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００２３】
以下図面を参照して本発明を実施するための最良の一形態を説明すると、図において示される符号１は石板ユニット部材であり、この石板ユニット部材は、例えば床面や地面等の敷石等として、直線状、曲線状それぞれが任意に組み合わされた帯状の敷設面２に繰り返しパターン形状となって隣接配置される所定の変形多角形の各領域Ｐ１，Ｐ２…内、特に急峻もしくは緩やかな曲線状の敷設面２に沿って繰り返しパターン形状となって隣接配置される所定の変形多角形の各領域Ｐ１，Ｐ２…内において使用される。また、それぞれ乱形状に石組可能となるように隣接配置される形状やサイズの異なる複数の石板１Ａ，１Ｂ，１Ｃ…１Ｎを組み合わせることで各領域Ｐ１，Ｐ２…に対応して複数組となって形成可能にしてある。
【００２４】
この石板ユニット部材１は、予め例えば工場サイドにおいて、例えば天然石板等を乱形状に石割り加工し、これらを施工現場において所定の配列形態に従って順次に配列するものであり、例えば縦横が約１０００ｍｍ程度の変形多角形を呈する所定形状の複数の領域Ｐ１，Ｐ２…内に一定の目地間隔を開けて例えば１３枚〜１６枚程度の石板１Ａ，１Ｂ，１Ｃ…１Ｎ，１Ｎがそれぞれ乱形状となって配置されるように構成されている。そして、複数組の石板ユニット部材１のそれぞれを構成する各石板１Ａ，１Ｂ，１Ｃ…１Ｎは、互いに隣接配置された四角形、五角形、六角形更にはそれ以上の多角形の変形多角形の各領域Ｐ１，Ｐ２…毎に異なる石組配列パターンを呈するものとなるようにして配置されている。尚、石板１Ａ，１Ｂ，１Ｃ…１Ｎそれぞれの形状は、その角隅部の角度が鋭角とならないように配慮されることが好ましいものである。
【００２５】
また、石板ユニット部材１は、例えばＵ字状・Ｓ字状・蛇行ライン状等の帯状配列の敷設面２に沿って隣接配置できるように、石板ユニット部材１それぞれの外郭形状における左右方向の側面には直線形状部５Ａまたは曲線形状部５Ｂを有すると共に、石板１Ａ，１Ｂ，１Ｃ…１Ｎ同士が敷設面２に沿っての前後方向での側面で互いに隣接配置されたときに相互に嵌め合い可能となる凹凸形状部５Ｃを有して成る。その隣接配置の形態は施工現場でランダムに選択され、施工されるようになっている。
【００２６】
具体的には図１に示すように、第１の領域Ｐ１（図１（ａ）参照）では、左右方向の側面に互いに平行となる直線形状部５Ａを形成し、この間に大小の四角形、五角形、六角形、七角形の計１７個の石板１Ａ，１Ｂ，１Ｃ…１Ｎを配列してあり、また第２の領域Ｐ２（図１（ｂ）参照）では、前記第１の領域Ｐ１の石板１Ａ，１Ｂ，１Ｃ…１Ｎの色や石種等を異ならしめたものである。
【００２７】
第３の領域Ｐ３（図１（ｃ）参照）では、前記第１の領域Ｐ１の石板１Ａ，１Ｂ，１Ｃ…１Ｎの形状、および配列パターとは異なる大小の四角形、五角形、六角形、七角形の計２０個としてあり、また第４の領域Ｐ４（図１（ｄ）参照）では、前記第３の領域Ｐ３の石板１Ａ，１Ｂ，１Ｃ…１Ｎの色や石種等を異ならしめたものである。
【００２８】
第５の領域Ｐ５（図１（ｅ）参照）では、左右方向の側面に互いに平行な円弧状の曲線形状部５Ｂを形成し、この間に大小の四角形、五角形、六角形、七角形の計２０個の石板１Ａ，１Ｂ，１Ｃ…１Ｎを配列してあり、また第６の領域Ｐ６（図１（ｆ）参照）では、前記第５の領域Ｐ５の石板１Ａ，１Ｂ，１Ｃ…１Ｎの色や石種等を異ならしめたものである。
【００２９】
第７の領域Ｐ７（図１（ｇ）参照）では、前記第５の領域Ｐ５の石板１Ａ，１Ｂ，１Ｃ…１Ｎの形状、および配列パターンとは異なる大小の四角形、五角形、六角形、七角形の計１７個としてあり、また第８の領域Ｐ８（図１（ｈ）参照）では、前記第７の領域Ｐ７の石板１Ａ，１Ｂ，１Ｃ…１Ｎの色や石種等を異ならしめたものである。
【００３０】
これら第１乃至第８の領域Ｐ１，Ｐ２，Ｐ３，Ｐ４，Ｐ５，Ｐ６，Ｐ７，Ｐ８の隣接配列パターンの具体的な構成としては、例えば図２（ａ）に示すように、第１の領域Ｐ１、第６の領域Ｐ６、第７の領域Ｐ７、第２の領域Ｐ２の順に隣接配置させることで左側に緩やかなＳ字状にカーブしたものとなっている。同様に、図２（ｂ）に示すように、第１の領域Ｐ１、第８の領域Ｐ８、第５の領域Ｐ５、第２の領域Ｐ２の順に隣接配置させることで右側に緩やかなＳ字状にカーブしたものとなっている。
【００３１】
さらに、図２（ｃ）に示すように、第２の領域Ｐ２、第５の領域Ｐ５、第４の領域Ｐ４、第７の領域Ｐ７、第２の領域Ｐ２の順に隣接配置させることで左側に急峻なＳ字状となってカーブしたものとなっている。同様に、図２（ｄ）に示すように、第２の領域Ｐ２、第７の領域Ｐ７、第４の領域Ｐ４、第５の領域Ｐ５、第２の領域Ｐ２の順に隣接配置させることで右側に急峻なＳ字状となってカーブしたものとなっている。
【００３２】
また、図３（ａ）に示すように、第１の領域Ｐ１、第８の領域Ｐ８、第７の領域Ｐ７、第６の領域Ｐ６、第５の領域Ｐ５、第２の領域Ｐ２の順に隣接配置させることで右側にＳ字状に大きくカーブしたものとなっている。同様に、図３（ｂ）に示すように、第１の領域Ｐ１、第６の領域Ｐ６、第５の領域Ｐ５、第８の領域Ｐ８、第７の領域Ｐ７、第４の領域Ｐ４の順に隣接配置させることで左側に略Ｓ字状となって大きくカーブしたものとなっている。
【００３３】
また、図４（ａ）に示すように、第１の領域Ｐ１、第８の領域Ｐ８、第１の領域Ｐ１、第４の領域Ｐ４、第５の領域Ｐ５、第２の領域Ｐ２の順に隣接配置させたり、図４（ｂ）に示すように、第２の領域Ｐ２、第７の領域Ｐ７、第４の領域Ｐ４、第３の領域Ｐ３、第６の領域Ｐ６、第１の領域Ｐ１の順に隣接配置させたり、図４（ｃ）に示すように、第２の領域Ｐ２、第７の領域Ｐ７、第４の領域Ｐ４、第１の領域Ｐ１、第４の領域Ｐ４、第５の領域Ｐ５、第２の領域Ｐ２の順に隣接配置させたり、図４（ｄ）に示すように、第２の領域Ｐ２、第５の領域Ｐ５、第４の領域Ｐ４、第１の領域Ｐ１、第４の領域Ｐ４、第７の領域Ｐ７、第２の領域Ｐ２の順に隣接配置させたりすることで、右側カーブと左側カーブとの間に長目の直線路を介在したものとなっている。
【００３４】
また、図５（ａ）に示すように、第２の領域Ｐ２、第７の領域Ｐ７、第８の領域Ｐ８、第７の領域Ｐ７、第８の領域Ｐ８、第１の領域Ｐ１の順に隣接配置させることで、Ｕ字状にターンさせたものとなっている。
【００３５】
さらに、図５（ｂ）に示すように、第４の領域Ｐ４、第５の領域Ｐ５、第４の領域Ｐ４、第１の領域Ｐ１、第６の領域Ｐ６、第３の領域Ｐ３、第８の領域Ｐ８、第７の領域Ｐ７、第２の領域Ｐ２１の順に隣接配置させることで、２つの鈍角状のカーブと直角なカーブとの組み合わされたものとなっている。
【００３６】
石板ユニット部材１の製作は、共通した外郭形状を維持したままで、その石板１Ａ，１Ｂ，１Ｃ…１Ｎの形状、大小等は任意に選定し、またそれに従って石割りして行ない、複数組の石板ユニット部材１それぞれが単独製品となるようにその配列形態を維持したままで工場サイド等にて構成しておく。このとき、石板１Ａ，１Ｂ，１Ｃ…１Ｎのそれぞれの乱形配列でユニット化した複数組の石板ユニット部材１それぞれの外郭形状において、前後方向での側面では、例えばＵ字状・Ｓ字状・蛇行ライン状等の敷設面２に沿って互いに隣接配置されるよう互いに平行な直線形状部５Ａを形成し、また左右方向での側面では、互いに隣接配置されたときに相互に嵌め合い可能な凹凸形状部５Ｃを形成しておく。
【００３７】
尚、石板ユニット部材１それぞれは、例えば大判の１枚の石板素材を適当な多角形の石板１Ａ，１Ｂ，１Ｃ…１Ｎとなるように裁断・切断・切割等することで形成され、その形状、配列その他の組合せは適当に裁断時に選定されるものとなっており、それぞれに異なるものとしておくことも、ある程度の数種類のパターンに予め設定したものとしておくことも可能である。このよう乱形組合せ処理作業を施工現場で行わずに、石材加工場等の工場サイドで処理しておくことで、施工現場では産業廃棄物となる端材を生じさせないで済む利点がある。  
【００３８】
また石板１Ａ，１Ｂ，１Ｃ…１Ｎは、例えばサファイアブラウン、バハマブルー、インぺリアルホワイト、タイガースキン等の天然石板材を素材とし、これらを模様的に任意に組み合わせるようにして使用することもできる。
【００３９】
また、裁断石割りした石板１Ａ，１Ｂ，１Ｃ…１Ｎ周辺の下縁角部自体はそのままにして上縁角部だけに例えば傾斜割模様の切欠斜面部４（図６（ｂ）参照）を割設形成しておくことで、石板１Ａ，１Ｂ，１Ｃ…１Ｎ相互の下半分同士を突き合わせることで石板１Ａ，１Ｂ，１Ｃ…１Ｎ相互をきっちりと位置合わせでき、また、これによって互いに対向配置する切欠斜面部４により自動的に目地幅を形成させるようにしておく。
【００４０】
これら形状、大小等の異なる石板１Ａ，１Ｂ，１Ｃ…１Ｎを当該石板１Ａ，１Ｂ，１Ｃ…１Ｎの石組配列形態を維持したままで例えば紙製、合成樹脂材製等のシート材を介在させて重ねられ、縛着梱包し、施工現場に搬入するようにしてある。このとき、各石板１Ａ，１Ｂ，１Ｃ…１Ｎには必要があれば相互に識別できる例えば番号や記号等の符号を例えば裏面等に表示し、また後述するスタンプ枠材３の石板外郭形成用の内枠部３Ｂによる配列区画にも対応する数字、記号その他の符号を表示するようにしておいて、その符号に従い例えば一端左側から他端右側にかけて順番に配列するように敷設することができるようにしてある。
【００４１】
図６、図７に示すように、変形多角形の領域Ｐ１，Ｐ２…は、敷設施工現場にて石板１Ａ，１Ｂ，１Ｃ…１Ｎの例えばコンクリート材等の路面上に打設したモルタル材上に変形多角形の領域パターン６を押し当て表示させるための領域形成用の外枠部３Ａと、領域パターン６の内部にそれぞれの石板１Ａ，１Ｂ，１Ｃ…１Ｎの外郭形状に応じた個々の石板外郭パターン７を押し当て表示させるための石板外郭形成用の内枠部３Ｂとから成る例えば金属枠板製のスタンプ枠材３によって表示形成される。そして、外枠部３Ａの左右方向の側面は互いに平行な直線部（図６参照）もしくは曲線部（図７参照）となっており、例えばＵ字状・Ｓ字状・蛇行ライン状等の直線状、曲線状それぞれが任意に組み合わされて成る帯状配列の敷設面２の当該直線部、曲線部がモルタル面・砂地面上に表示されるようにしてある。このスタンプ枠材３は、敷設される石板ユニット部材１の石板１Ａ，１Ｂ，１Ｃ…１Ｎの異なる配列パターンそれぞれに対応して各別に構成され、各領域Ｐ１，Ｐ２…内での石板１Ａ，１Ｂ，１Ｃ…１Ｎの配列が石板外郭パターン７に従って容易に行なえるようにしてある。
【００４２】
尚、このスタンプ枠材３の外枠部３Ａにおける角部は、各内角部分が全て鈍角に形成されており、このため領域Ｐ１，Ｐ２…の角部における内角は、全て鈍角に形成されるものとしてある。さらに、領域Ｐ１，Ｐ２…内に敷設配置される各石板１Ａ，１Ｂ，１Ｃ…１Ｎの形状は少なくとも４つの角部を有する変形多角形とし、できるだけ三角形の石板を使用しないようにしてある。
【００４３】
また、石板ユニット部材１、スタンプ枠材３等は例えばその外郭形においての前後辺、左右辺それぞれの長さは基本的には例えば１０００ｍｍ程度とすることが予定されるも、これより長くあるいは短く形成されることもあり、更にはほぼ正方形状を呈するようにする場合を基本とすることに限らず、前後辺、左右辺それぞれの長さが異なるものとなっていても差し支えないのである。場合によっては、外郭形状を例えば五角形、六角形としてこれ等の組合せによって連続的に隣接配置するようにすることも可能である。
【００４４】
次に、本発明に係る石板ユニット部材１の石組配列施工方法について説明すると、先ず石板ユニット部材１の製作は、共通した外郭形状を維持したままで、その石板１Ａ，１Ｂ，１Ｃ…１Ｎの形状、大小等は任意に選定し、それに従って石割りして行ない、石板ユニット部材１それぞれが単独製品となるようにその石組配列形態を維持したままで例えば工場サイド等にて構成しておく。
【００４５】
すなわち、工場サイドにおいては、敷設面２に繰り返しパターン形状となって隣接配置される変形多角形の各領域Ｐ１，Ｐ２…毎にそれぞれ異なる乱形状の石組配列パターンを形成するように一枚の大きな石材を形状やサイズの異なるよう裁断、石割り加工して小さな複数の石板１Ａ，１Ｂ，１Ｃ…１Ｎに裁断、分割形成しておき、これら複数の石板１Ａ，１Ｂ，１Ｃ…１Ｎを任意に組み合わせることで各領域Ｐ１，Ｐ２…毎にユニット化して成る複数組の石板ユニット部材１を形成しておく。
【００４６】
このとき、石板１Ａ，１Ｂ，１Ｃ…１Ｎのそれぞれの乱形配列でユニット化した石板ユニット部材１それぞれの外郭形状において、前後方向での側面では、直線状、曲線状それぞれが任意に組み合わされた帯状の敷設面２に沿って隣接配置されるよう互いに平行となる直線形状部５Ａとし、一方、左右方向での側面では互いに隣接配置されたときに相互に嵌め合い可能となるよう例えば凹凸形状部５Ｃにしておくものである。
【００４７】
また石割り後には、各石板１Ａ，１Ｂ，１Ｃ…１Ｎ相互の隣接配置を容易にするよう、例えば敷設後の目地幅を自動的に形成するために手作業により例えばノミとハンマー等を使用して傾斜割模様の切欠斜面部４を各石板１Ａ，１Ｂ，１Ｃ…１Ｎ相互の周辺の上縁角部に割設形成しておく。こうすることで敷設面２上に並べられた石板１Ａ，１Ｂ，１Ｃ…１Ｎの周辺における下縁角部同士をぴったりと突き合わせることで隣接した位置決め配置を容易にし、さらに突き合わせ配置することにより、切欠斜面部４相互が対向配置されることとなって略Ｖ字形の目地部が自動的に揃った状態となって形成され、そこに目地材を充填して石板１Ａ，１Ｂ，１Ｃ…１Ｎ同士を固定するものとしてある。また、このような手作業による傾斜割模様の切欠斜面部４の形成は、目地幅を若干でも不揃いなものとなることで、施工現場で石板１Ａ，１Ｂ，１Ｃ…１Ｎを配列したときには、一層の自然石状の雰囲気を形成させるのに役立つ。
【００４８】
そして、これら形状、大小等の異なる石板１Ａ，１Ｂ，１Ｃ…１Ｎを当該石板１Ａ，１Ｂ，１Ｃ…１Ｎの石組配列形態を維持したままで例えば紙製、合成樹脂材製等のシート材を介在させて重ねられ、縛着梱包して施工現場に搬入する。
【００４９】
一方、敷設施工現場において、直線状、曲線状それぞれが任意に組み合わされた帯状の敷設面２に沿って砕石を敷設固定し、コンクリート材を打ち、この上にモルタル材を打設し、更には砂地処理等を施した後、この石板１Ａ，１Ｂ，１Ｃ…１Ｎの敷設面２に、領域形成用の外枠部３Ａと石板外郭形成用の内枠部３Ｂとから成るスタンプ枠材３を押し当てて変形多角形の領域パターン６と、領域パターン６の内部にそれぞれの石板１Ａ，１Ｂ，１Ｃ…１Ｎの外郭形状に応じた個々の石板外郭パターン７とを表示させておき、そのスタンプ形状の区画配列に従って各石板ユニット部材１毎でその各石板１Ａ，１Ｂ，１Ｃ…１Ｎを敷設面２の個々の石板外郭パターン７に従って順次置くことで石組配列パターンが形成される。
【００５０】
すなわち、各組の石板ユニット部材１によって各領域毎に乱形状に石組施工するに際し、そのユニット化した石板１Ａ，１Ｂ，１Ｃ…１Ｎを各領域Ｐ１，Ｐ２…毎に異なる乱形パターンの石組配列形態に従い順次に配列すれば良い。このとき、各石板１Ａ，１Ｂ，１Ｃ…１Ｎの例えば裏面等に表示してある識別用の符号等を、スタンプ枠材３の石板外郭形成用の内枠部３Ｂによる配列区画にも表示させてある符号等に対応させながら例えば一端左側から他端右側にかけて順番に配列するように敷設する。敷設面２に石組施工した際に、石板１Ａ，１Ｂ，１Ｃ…１Ｎ周辺の側面下半部が接合された状態で上縁角部に割設形成した切欠斜面部４相互が対向配置することによりそこに略Ｖ字形の目地部が形成され、この目地部内に目地モルタル等の目地材を充填して石板１Ａ，１Ｂ，１Ｃ…１Ｎ同士を固定する。
【図面の簡単な説明】
【００５１】
【図１】本発明を実施するための最良の形態の各領域における乱形石組パターンを示す概略平面図であり、（ａ）は第１の領域、（ｂ）は第２の領域、（ｃ）は第３の領域、（ｄ）は第４の領域、（ｅ）は第５の領域、（ｆ）は第６の領域、（ｇ）は第７の領域、（ｈ）は第８の領域を示す。
【図２】（ａ）乃至（ｄ）は緩やかなＳ字カーブ状の敷設面における敷設施工後の乱形石組パターンを示す概略平面図である。
【図３】（ａ）乃至（ｂ）は急峻なＳ字カーブ状の敷設面における敷設施工後の乱形石組パターンを示す概略平面図である。
【図４】（ａ）乃至（ｄ）は右側カーブと左側カーブとの間に長目の直線路を介在した敷設施工後の乱形石組パターンを示す概略平面図である。
【図５】（ａ）はＵ字状ターンした敷設面における敷設施工後の乱形石組パターンを示す概略平面図、（ｂ）は２つの鈍角状のカーブと直角なカーブとの組み合わされた敷設面における敷設施工後の乱形石組パターンを示す概略平面図である。
【図６】直線状の敷設面における乱形石組パターンの敷設例を示すもので、（ａ）はスタンプ枠材を示す平面図、（ｂ）は石組配列施工方法を説明する斜視図である。
【図７】曲線状の敷設面における乱形石組パターンの敷設例を示すもので、（ａ）はスタンプ枠材を示す平面図、（ｂ）は石組配列施工方法を説明する斜視図である。
【符号の説明】
【００５２】
１…石板ユニット部材                    １Ａ，１Ｂ，１Ｃ，１Ｎ…石板
２…敷設面                              ３…スタンプ枠材
３Ａ…外枠部                            ３Ｂ…内枠部
４…切欠斜面部                          ５Ａ…直線形状部
５Ｂ…曲線形状部                        ５Ｃ…凹凸形状部
６…領域パターン                        ７…石板外郭パターン
Ｐ１…第１の領域                        Ｐ２…第２の領域
Ｐ３…第３の領域                        Ｐ４…第４の領域
Ｐ５…第５の領域                        Ｐ６…第６の領域
Ｐ７…第７の領域                        Ｐ８…第８の領域
【図１】
2006233527.tif 000003
【図２】
2006233527.tif 000004
【図３】
2006233527.tif 000005
【図４】
2006233527.tif 000006
【図５】
2006233527.tif 000007
【図６】
2006233527.tif 000008
【図７】
2006233527.tif 000009